(57)【特許請求の範囲】
【請求項１】
琴の響音体の上面側の曲面に沿って係合されるようにした上面支持体と、該上面支持体に係脱自在に前記琴の響音体の下面側の水平面に沿って係合されるようにした下面支持体とから成り、前記上面支持体は、前記琴の上面側の曲面に沿って湾曲した細幅板状の金属製支持板と、該支持板の下部に沿って両端を固定された板バネと、前記支持板の両端に設けられた二又状の軸支部と、該軸支部の二又部に穿孔された貫通孔と、該貫通孔に挿通され、中央部にネジ孔を有する支持軸と、該支持軸のネジ孔に螺合されるネジ摘みとから構成され、前記下面支持体は、前記琴の下面側の水平面に沿って配置した細幅板状の金属製取付板と、該取付板の両端に立上り部を形成し、該立上り部に前記取付板の長手方向に向かって形成した二又部とから成ることを特徴とする電子和楽器のセンサートリガー取付け装置。
【請求項２】
前記板バネの下面に圧力センサーを所定の間隔を空けて取り付けたことを特徴とする請求項１記載の電子和楽器のセンサートリガー取付け装置。
【発明の詳細な説明】
【技術分野】
【０００１】
本発明は、和楽器の音量改善を安価でかつ簡単に行える電子和楽器のセンサートリガー取付け装置に関する。
【背景技術】
【０００２】
近頃、和楽器と洋楽器の垣根が取り払われ、いろんなジャンルで混合のアレンジが生まれている。その中で、ナイロン弦等とブリッジを用いる和楽器全般に言えるのは音量不足である。そこで、アンプを用い大音量での楽器演奏の中では、和楽器はシステム的に面倒で金銭的にも厳しいものがある。
【０００３】
従来、弦楽器を増幅する方法として、弦楽器の振動の測定によって、弦の励起力および弦楽器のボディ振動のベクトル的性質を独自に利用し且つこの後に信号処理を行うことにより、アコースティック楽器に特有の音楽サウンドを、音楽サウンドを増幅しかつ再生するためのハイファイ電子信号に変換して再生するアコースティック弦楽器信号の測定および処理が知られている（特許文献１を参照）。
この公知技術の信号処理システムは、第１弦楽器の弦の変位速度、加速度、および／または振動エネルギーに応答する複数のセンサーを用いて、信号プロセッサにより処理されるセンサー信号を生成し、これにより、第２弦楽器の弦の変位速度、加速度、および／または振動エネルギーに対応する再合成信号を生成するものである。
この信号処理システムは、洋楽器には適用できるものであるが、和楽器には不都合であり、かつ各センサーの取付け構造が着脱自在にできるものではなかった。
そのため、和楽器の音量改善を安価でかつ簡単に行える音響システム装置が望まれていた。
【先行技術文献】
【特許文献】
【０００４】
【特許文献１】特表２００２−５３５７０７号公報
【発明の概要】
【発明が解決しようとする課題】
【０００５】
本発明は、和楽器の音量改善を安価でかつ簡単に行える電子和楽器のセンサートリガー取付け装置を提供することを目的とする。
【課題を解決するための手段】
【０００６】
本発明の電子和楽器のセンサートリガー取付け装置は、琴の響音体の上面側の曲面に沿って係合されるようにした上面支持体と、該上面支持体に係脱自在に前記琴の響音体の下面側の水平面に沿って係合されるようにした下面支持体とから成り、前記上面支持体は、前記琴の上面側の曲面に沿って湾曲した細幅板状の金属製支持板と、該支持板の下部に沿って両端を固定された板バネと、前記支持板の両端に設けられた二又状の軸支部と、該軸支部の二又部に穿孔された貫通孔と、該貫通孔に挿通され、中央部にネジ孔を有する支持軸と、該支持軸のネジ孔に螺合されるネジ摘みとから構成され、前記下面支持体は、前記琴の下面側の水平面に沿って配置した細幅板状の金属製取付板と、該取付板の両端に立上り部を形成し、該立上り部に前記取付板の長手方向に向かって形成した二又部とから成るものである。
【発明の効果】
【０００７】
本発明の電子和楽器のセンサートリガー取付け装置は、琴の響音体の上面側の曲面に沿って係合されるようにした上面支持体と、該上面支持体に係脱自在に前記琴の響音体の下面側の水平面に沿って係合されるようにした下面支持体とから成り、前記上面支持体は、前記琴の上面側の曲面に沿って湾曲した細幅板状の金属製支持板と、該支持板の下部に沿って両端を固定された板バネと、前記支持板の両端に設けられた二又状の軸支部と、該軸支部の二又部に穿孔された貫通孔と、該貫通孔に挿通され、中央部にネジ孔を有する支持軸と、該支持軸のネジ孔に螺合されるネジ摘みとから構成され、前記下面支持体は、前記琴の下面側の水平面に沿って配置した細幅板状の金属製取付板と、該取付板の両端に立上り部を形成し、該立上り部に前記取付板の長手方向に向かって形成した二又部とから成るため、安価でかつ簡単に取付けることができる効果がある。
【図面の簡単な説明】
【０００８】
【図１】本発明の電子和楽器のセンサートリガー取付け装置を琴に取り付けた状態を示す斜視図である。
【図２】センサートリガー取付け装置の分解斜視図である。
【図３】本発明の電子和楽器のセンサートリガー取付け装置の組立状態を示す斜視図である。
【発明を実施するための形態】
【０００９】
本発明の電子和楽器のセンサートリガー取付け装置の一実施例を添付図面に基づいて、以下に説明する。
図１の斜視図に示す本発明の電子和楽器のセンサートリガー取付け装置１は、琴本体２に張られた弦３を支持するブリッジ４を介して響音体５に固定された端部側に着脱自在に取り付けられる。なお、前記弦３は、１３弦（本）である。
【００１０】
図２の分解斜視図に示すように、前記センサートリガー取付け装置１は、琴本体２の響音体５の上面側の曲面に沿って係合されるように凸曲面状の上面支持体６と、該上面支持体６に係脱自在に琴本体２の響音体５の下面側の水平面に沿って係合されるように水平面状の下面支持体７とから成る。
【００１１】
前記上面支持体６は、琴本体２の上面側の曲面に沿って湾曲した細幅板状の金属製支持板８と、該支持板８の下部に沿って固定ネジ９で両端を固定された板バネ１０と、前記支持板８の両端に設けられた二又状の軸支部１１と、該軸支部１１の二又部１２に穿孔された貫通孔１３と、該貫通孔１３に挿通され、中央部にネジ孔１４を有する支持軸１５と、該支持軸１５のネジ孔１４にワッシャ１６を介して螺合されるネジ摘み１７とから構成される。なお、前記ネジ摘み１７は、前記支持軸１５を支点にして回転することができるように構成される。
【００１２】
前記下面支持体７は、琴本体２の下面側の水平面に沿って配置した細幅板状の金属製取付板１８と、該取付板１８の両端に立上り部１９を形成し、該立上り部１９に長手方向に向かって形成した二又部２０とから成る。前記立上り部１９は、琴本体２の両側面に係合される。
なお、番号２１は、前記板バネ１０の下面に取付けられる圧力センサーである。
【００１３】
次に、本発明の電子和楽器のセンサートリガー取付け装置の操作動作を添付図面に基づいて、以下に説明する。
図３の斜視図に示すように、前記センサートリガー取付け装置１を組み立てた状態は、板バネ１０の下面（琴本体側）には圧力センサー２１が合計３個所定の間隔を空けて取付けられている。前記圧力センサー２１は、琴本体２の弦３のバランスを考慮して設置するものであり、特定の弦３の音を強く出したい場合にはその弦３の近くに圧力センサー２１が来るように配置する。
前記圧力センサー２１は、信号を送る配線２２を介して接続ジャック金具２３に接続され、該接続ジャック金具２３は、前記支持板８に固定された固定金具２４の締付けボルト２５により締付け固定される。
なお、固定金具２４を覆う凹部を形成した緩衝材を内側に配置したカバー（図示せず）で前記固定金具２４部分を覆い、前記カバー（図示せず）は布テープを備えたバンドで琴本体２に固定する。前記カバー（図示せず）は、演奏の際に邪魔にならないようにするために設けられる。
【００１４】
まず、図３に示す状態からネジ摘み１７を弛めて、取付板１８の二又部２０から前記ネジ摘み１７を矢印で示すように外側に回転させる。その際、前記ネジ摘み１７は図２に示すように前記支持板８の二又部１２に支持された支持軸１５のネジ孔１４に螺合されているので、前記支持軸１５を支点にして回転させることができる。前記ネジ摘み１７の外側回転により、前記下面支持体７は、前記支持板８から分離することができ、前記上面支持体６と前記下面支持体７とは別々になる。
【００１５】
そして、図１に示すように、琴本体２の響音体５の上面側の曲面に沿って前記上面支持体６の支持板８を被せ、前記支持板８の裏面側にある板バネ１０に取付けられている圧力センサー２１が琴本体２の響音体５に押圧支持されるようにする。次に、前記下面支持体７を琴本体２の下面側から当てて前記支持板８の二又部１２と前記取付板１８の二又部２０とを一致させて前記ネジ摘み１７を図３の矢印で示すように取付板１８の二又部２０へ前記ネジ摘み１７を内側に回転させる。
そして、前記ネジ摘み１７を締付けて板バネ１０による圧力センサー２１が適宜圧力となるように締付けて調整固定する。これで、前記センサートリガー取付け装置１の琴本体２への取り付けが完了する。
【００１６】
このようにして、前記センサートリガー取付け装置１が音響体５に取付けられたならば、接続ジャック金具２３に送信用ジャックを接続し、前記圧力センサー２１の信号を音響装置システム（図示せず）に送信する。
音響装置システム（図示せず）では、出力された信号を入力ミックス部で混ぜてかつ安定させ効率よく増幅し、そこでは最終的外部パワーアンプ増幅により発する待機ノイズを緩和するため、演奏直前にＯＮできるフットスイッチを設置し、さらに音質の特徴として高音が強くノイズも少し出るためＥＱ（イコライザー）、ノイズリダクションを掛けて調整する。この調整ができたら、楽器アンプ又はＰＡシステムへ送信する。
【符号の説明】
【００１７】
１  センサートリガー取付け装置
２  琴本体
３  弦
４  ブリッジ
５  響音体
６  上面支持体
７  下面支持体
８  支持板
９  固定ネジ
１０  板バネ
１１  軸支部
１２  二又部
１３  貫通孔
１４  ネジ孔
１５  支持軸
１６  ワッシャ
１７  ネジ摘み
１８  取付板
１９  立上り部
２０  二又部
２１  圧力センサー
２２  配線
２３  接続ジャック金具
２４  固定金具
２５  締付けボルト
【要約】      （修正有）【課題】和楽器の音量改善を安価でかつ簡単に行える電子和楽器のセンサートリガー取付け装置を提供する。【解決手段】電子和楽器のセンサートリガー取付け装置１は、琴本体２に張られた弦３を支持するブリッジ４を介して響音体５に固定された端部側に着脱自在に取り付けられる。前記センサートリガー取付け装置１は、琴本体２の響音体５の上面側の曲面に沿って係合されるように凸曲面状の上面支持体と、該上面支持体に係脱自在に琴本体２の響音体５の下面側の水平面に沿って係合されるように水平面状の下面支持体とから成り、ネジ摘み１７の回転により、前記下面支持体は、支持板８から分離することができ、前記上面支持体と前記下面支持体とは別々になる。【選択図】図１【図１】
0004716455.tif 000002
【図２】
0004716455.tif 000003
【図３】
0004716455.tif 000004